(57)【要約】【課題】着信側の通信端末で、着信転送の有無によって着信音の鳴り分けが可能な通信システム及び着信方法を提供する。【解決手段】ネットワークに接続される複数の通信端末と、ネットワークに接続され、通信端末間の呼制御を行う呼制御サーバとを備える通信システムにおいて、呼制御サーバは、通信端末のうち予め登録された転送元の通信端末から転送先の通信端末に着信転送を行う手段と、着信転送を伴う呼制御を行うときに、転送先の通信端末に、着信転送であることを示す転送情報を含む呼接続要求情報を転送先の通信端末に送信する手段を有し、転送先の通信端末は、呼接続要求情報を受信すると、予め設定された鳴動パターンを参照し、転送情報の有無によって、異なる着信音を鳴動させる手段を有することを特徴とする。【選択図】図１
2008236214.tif 000002
【特許請求の範囲】
【請求項１】
ネットワークに接続される複数の通信端末と、前記ネットワークに接続され、前記通信端末間の呼制御を行う呼制御サーバとを備える通信システムにおいて、
前記呼制御サーバは、前記通信端末のうち予め登録された転送元の通信端末から転送先の通信端末に着信転送を行う手段と、前記着信転送を伴う呼制御を行うときに、前記転送先の通信端末に、前記着信転送であることを示す転送情報を含む呼接続要求情報を前記転送先の通信端末に送信する手段を有し、
前記転送先の通信端末は、前記呼接続要求情報を受信すると、予め設定された鳴動パターンを参照し、前記転送情報の有無によって、異なる着信音を鳴動させる手段を有すること
を特徴とする通信システム。
【請求項２】
前記呼制御サーバは前記転送元の通信端末に対して呼接続要求を中止する手段を有すること
を特徴とする請求項１に記載の通信システム。
【請求項３】
前記ネットワークはＳＩＰに準拠しており、前記転送情報はＳＩＰメッセージの拡張パラメータである非標準データを用いて前記着信転送の有無が示されることを特徴とする請求項１又は２に記載の通信システム。
【請求項４】
前記ネットワークは、Ｈ．３２３プロトコルに準拠しており、前記転送情報はＨ．３２３メッセージの非標準データを用いて前記着信転送の有無が示されることを特徴とする請求項１又は２に記載の通信システム。
【請求項５】
前記ネットワークは、ＭＧＣＰに準拠しており、前記転送情報はＭＧＣＰメッセージの拡張パラメータである非標準データを用いて前記着信転送の有無が示されることを特徴とする請求項１又は２に記載の通信システム。
【請求項６】
ネットワークに接続され、通信を行う第１の通信端末、第２の通信端末、第３の通信端末、及び前記第１の通信端末、第２の通信端末、第３の通信端末間の呼制御を行う呼制御サーバを備え、
前記第１の通信端末が前記呼制御サーバを介して第２の通信端末に呼接続要求を行う第１のステップと、
前記呼制御サーバが前記第２の通信端末の転送先として予め設定された前記第３の通信端末に対して着信転送であることを示す転送情報を含む呼接続要求を行う第２のステップと、
前記第３の通信端末が前記転送情報の有無を判別し、予め設定された鳴動パターンを参照し、前記転送情報の有無によって異なる着信音を鳴動させる第３のステップとを有すること
を特徴とする着信方法。
【請求項７】
前記第１のステップの後に、前記呼制御サーバが前記第２の通信端末に対して前記呼接続要求を中止する第４のステップを有することを特徴とする請求項６に記載の着信方法。
【請求項８】
前記ネットワークはＳＩＰに準拠しており、前記転送情報はＳＩＰメッセージの拡張パラメータである非標準データを用いて前記着信転送の有無が示されることを特徴とする請求項６又は７に記載の着信方法。
【請求項９】
前記ネットワークは、Ｈ．３２３プロトコルに準拠しており、前記転送情報はＨ．３２３メッセージの非標準データを用いて前記着信転送の有無が示されることを特徴とする請求項６又は７に記載の着信方法。
【請求項１０】
前記ネットワークは、ＭＧＣＰに準拠しており、前記転送情報はＭＧＣＰメッセージの拡張パラメータである非標準データを用いて前記着信転送の有無が示されることを特徴とする請求項６又は７に記載の着信方法。
【発明の詳細な説明】
【技術分野】
【０００１】
この発明は、ＩＰ（Internet Protocol）ネットワーク上で、通信端末からの発信時に、発信先の通信端末が応答遅延、不在、話中、圏外等の理由により予め設定された転送先の通信端末へ転送サービスの起動が行われたかどうかにより、転送先の通信端末で着信音の鳴り分けを行うための技術に関するものである。
【背景技術】
【０００２】
従来、ＩＰ電話交換機（ＩＰ−ＰＢＸ：Internet Protocol Private Branch eXchange）と呼ばれる呼制御サーバでは、発信側の通信端末の種別、呼の種別による電話端末機等の通信端末の着信音の鳴り分け技術は存在した。例えば、発信側の通信端末の呼種別が内線、専用線からの着信や、外線（局線）から内線への着信、ダイレクトインダイヤル（ＤＩＤ：Direct In Dial）やダイレクトインライン（ＤＩＬ：Direct In Line）、ＰＢＸダイヤルインからの着信を着信音で区別することが可能であった。
【０００３】
例えば、特許文献１には、発信側の通信端末の呼種別に応じた着信音の切り換えを行うことが可能な通信システムが開示されている。
【０００４】
図８は、従来の通信システムにおける着信音の鳴り分け方法を示す概略図である。
該通信システムは、呼制御サーバ８１、回線収容装置８２、ＶｏＩＰ（Voice over Internet Protocol）対応の通信端末８３及び８４がＶｏＩＰ網８５を介して構成される。回線収容装置８２及び通信端末８３は通信端末８４に対して電話を掛けると、呼制御サーバ８１は発信側の回線収容装置８２及び通信端末８３の端末種別や呼種別から予めデータ設定されている対応の着信音を識別する着信音識別情報８６（Ｔｙｐｅ１、Ｔｙｐｅ２、Ｔｙｐｅ３）を着信側の通信端末８４に対して通知する。着信側の通信端末８４は、この着信音識別情報８６から予め設定された鳴動パターンを参照し、着信音の鳴り分けを行う。
【０００５】
尚、呼制御サーバ８１はＩＰネットワーク上で電話交換機能を提供する装置である。回線収容装置８２はＩＰ機能と従来のＰＢＸ機能の両方を備えた装置であり、内線、専用線、局線（ＤＩＤ／ＤＩＬ／ＰＢＸダイヤルイン）を収容する機能を備える。通信端末８３及び８４は呼制御サーバ８１の配下にあるＩＰ電話機、デジタル多機能電話機、アナログインタフェース（ＦＸＳ：Foreign Exchange Station）を有するＶｏＩＰゲートウェイ、ワイヤレス（無線）ＩＰ電話機などの通信端末である。
また、呼出信号（ＩＲ：Inter Ringing）と内線呼出信号（ＳＩＲ：Second Inter Ringing）と着信転送警告信号、外線個別着信信号（ＴＩＲ：Third Inter Ringing）の呼出信号の電気的条件は、事業用電気通信設備に規定されている通りである。
【０００６】
図９は、従来の通信システムにおける着信転送サービスが起動された場合の着信音の鳴り分け方法を示す概略図である。
該通信システムは、呼制御サーバ９１、ＶｏＩＰ対応の通信端末９２、９３及び９４がＶｏＩＰ網９５を介して構成される。予め呼制御サーバ９１には通信端末９３の転送先として通信端末９４が設定されている。
まず発信側の通信端末９２は呼制御サーバ９１を介して転送元の通信端末９３に電話を掛けるが、各種着信転送サービス（応答遅延転送、不在転送、話中転送、圏外時自動転送等）によって、転送先の通信端末９４に着信する。この場合の着信側である転送先の通信端末９４の端末種別や呼種別から予めデータ設定されている対応の着信音を識別する着信音識別情報９６（Ｔｙｐｅ１、Ｔｙｐｅ２、Ｔｙｐｅ３）による鳴り分け方法も、図８で示した着信音識別情報８６による鳴り分け方法と同様に、発信側の通信端末９２の呼種別に応じた鳴り分けを行う。
尚、着信転送がされた通信端末９４は、図８の通信端末８４の場合と同様に同じ着信音を鳴動させる。
【０００７】
以下に各種着信転送サービスについて説明する。
応答遅延転送とは、通信端末が着信を受けると一定時間の呼び出しを行い、その間に応答が無ければ、予め転送先として登録された別の通信端末に着信転送を行うサービスである。
不在転送とは、通信端末の保有者が離席時等に、通信端末の操作及びコマンド操作などによって登録を行うことで、着信呼を他の通信端末に転送するサービスである。
話中転送とは、着信時に既に別の通信端末と話中で応答ができない場合、予め登録された他の通信端末に着信転送を行うサービスである。
圏外時自動転送とは、コードレス電話機等の通信端末において、該当の電話機が圏外であった場合、予め登録された他の通信端末に着信転送を行うサービスである。
【０００８】
図１０は、従来の応答遅延転送サービスを示す概略図である。
応答遅延サービスは、実線の矢印で示されるように呼制御サーバ１０１を介して発信側の通信端末１０２から転送元の通信端末１０３に対して一定時間呼び出しを行い、転送元の通信端末１０３での応答が無いため、呼制御サーバ１０１は応答遅延転送サービスを起動して予め通信端末１０３の転送先として登録された通信端末１０４の呼び出しを行う。
また、破線の矢印で示されるように呼制御サーバ１０１を介して発信側の通信端末１０２から通信端末１０４に対して直接電話を掛けるときには、通常の呼制御が行われ、通信端末１０４の呼び出しを行う。
【０００９】
図１１は、従来の不在転送、話中転送及び圏外時自動転送サービスを示す概略図である。
不在転送、話中転送及び圏外時自動転送サービスは、実線の矢印で示されるように呼制御サーバ１１１は予め転送元の通信端末１１３の状態を保持しており、発信側の通信端末１１２から転送元の通信端末１１３に対して発呼が行われると、呼制御サーバ１１１は不在転送、話中転送又は圏外時自動転送サービスを起動し、予め転送先として登録された通信端末１１４の呼び出しを行う。
また、破線の矢印で示されるように呼制御サーバ１１１を介して発信側の通信端末１１２から通信端末１１４に対して直接電話を掛けるときには、通常の呼制御が行われ、通信端末１１４の呼び出しを行う。
【特許文献１】特開２００６−２３７８９１号公報
【発明の開示】
【発明が解決しようとする課題】
【００１０】
しかしながら、従来の通信システム及び着信方法では、発信側の通信端末及び呼制御サーバから転送先である着信側の通信端末へ送られる着信音識別情報で、着信転送に関する情報を送信することは行われていなかった。つまり着信転送の有無は着信側の通信端末に通知されていないのである。故に着信側の通信端末では発信側の通信端末が着信側の通信端末に対し直接電話を掛けたのか、転送元の他の通信端末に対し発信したが、指定した通信端末から各種着信転送サービスによって着信側の通信端末を呼び出したのかが判断できず、転送の有無による着信音の鳴り分けができなかった。
【００１１】
よって、着信側の通信端末は着信転送の有無による着信音の鳴り分けを行えないため、着信側の通信端末の利用者は、電話端末機の着信音から転送の有無を識別することができない。その結果として、直接個人指名で掛かってきた電話と、同僚などへ宛てた電話が着信転送されたことにより掛かってきた電話とを区別できず、個人名又は部署名の応答であるかを特定することができないという問題点があった。
【課題を解決するための手段】
【００１２】
かかる課題を解決するため、本発明による通信システムは、ネットワークに接続される複数の通信端末と、ネットワークに接続され、通信端末間の呼制御を行う呼制御サーバとを備える通信システムにおいて、呼制御サーバは、通信端末のうち予め登録された転送元の通信端末から転送先の通信端末に着信転送を行う手段と、着信転送を伴う呼制御を行うときに、転送先の通信端末に、着信転送であることを示す転送情報を含む呼接続要求情報を転送先の通信端末に送信する手段を有し、転送先の通信端末は、呼接続要求情報を受信すると、予め設定された鳴動パターンを参照し、転送情報の有無によって、異なる着信音を鳴動させる手段を有することを特徴とする。
【００１３】
また、本発明による着信方法は、ネットワークに接続され、通信を行う第１の通信端末、第２の通信端末、第３の通信端末、及び第１の通信端末、第２の通信端末、第３の通信端末間の呼制御を行う呼制御サーバを備え、第１の通信端末が呼制御サーバを介して第２の通信端末に呼接続要求を行う第１のステップと、呼制御サーバが第２の通信端末の転送先として予め設定された第３の通信端末に対して着信転送であることを示す転送情報を含む呼接続要求を行う第２のステップと、第３の通信端末が転送情報の有無を判別し、予め設定された鳴動パターンを参照し、転送情報の有無によって異なる着信音を鳴動させる第３のステップとを有することを特徴とする。
【発明の効果】
【００１４】
発明の効果として、本発明の通信システム及び着信方法によれば、電話に応答する前に着信音から直接個人指名で掛かってきた電話か、同僚等の電話に掛けられた呼が、着信転送されて掛かってきた電話なのかを確認することができるため、着信側の通信端末の利用者は、着信音から個人名又は部署名での応答であるかを特定することができる。
【発明を実施するための最良の形態】
【００１５】
以下、本発明の実施例を図１〜図７を参照しつつ詳細に説明する。本発明の実施例では通信システムが適用されるＶｏＩＰ網はＳＩＰ（Session Initiation Protocol）に準拠しているものとして説明される。
【実施例】
【００１６】
図１〜図７を用いて本発明による通信システム及び着信方法が説明される。図１は本発明による応答遅延転送サービスを示す概略図である。
【００１７】
該通信システムは、通信の制御を行う呼制御サーバ１１、ＶｏＩＰ対応の通信端末１２、１３及び１４から構成され、これらはＶｏＩＰ網に接続されている。呼制御サーバ１１には予め通信端末１３の転送先として通信端末１４が登録されている。
【００１８】
まず、実線の矢印（転送有りルート）で示されるように発信側の通信端末１２は転送元の通信端末１３に対し呼接続要求を行う。しかし、転送元の通信端末１３は一定時間呼び出されるが応答遅延の理由により、呼接続要求に応答せず、呼制御サーバ１１で転送先の通信端末１４への着信転送が行われる。このとき、呼制御サーバ１１から着信側である転送先の通信端末１４への呼接続要求時に着信転送の有無を通知するための転送情報を含む呼接続要求情報を送信する。
【００１９】
着信側である転送先の通信端末１４はこの転送情報の有無によって発信側の通信端末１２からの呼接続時に着信転送が行われたか否かを識別することができる。そして通信端末１４では転送情報を受け、予め設定されている鳴動パターンを参照し、着信転送有の場合は新規鳴り分けとして着信音の鳴り分けを行い、着信転送無の場合と異なる着信音を鳴動させる。
【００２０】
また、破線の矢印（直接呼出しルート）で示されるように呼制御サーバ１１を介して発信側の通信端末１２から通信端末１４に対して直接電話を掛けるときには、呼接続要求時に着信転送の有無を通知するための転送情報を含めずに呼接続要求情報を送信し、通信端末１４の呼び出しを行う。そして通信端末１４では予め設定されている鳴動パターンを参照し、着信転送無の場合は既存鳴り分けとして着信音の鳴り分けを行い、従来通りの着信音を鳴動させる。
【００２１】
図２は本発明による不在転送、話中転送及び圏外時自動転送サービスを示す概略図である。
【００２２】
通信システムは、通信の制御を行う呼制御サーバ２１、ＶｏＩＰ対応の通信端末２２、２３及び２４から構成され、これらはＶｏＩＰ網に接続されている。呼制御サーバ２１には予め通信端末２３の転送先として通信端末２４が登録されている。
【００２３】
まず、実線の矢印（転送有りルート）で示されるように発信側の通信端末２２は転送元の通信端末２３に対し呼接続要求を行う。しかし、転送元の通信端末１３は不在、話中、又は通信端末１３がコードレス電話機の場合、圏外の理由により、呼接続要求に応答できず、呼制御サーバ１１は転送先の通信端末１４への着信転送を行う。このとき、呼制御サーバ１１から着信側である転送先の通信端末１４への呼接続要求時に着信転送の有無を通知するための転送情報を含む呼接続要求情報を送信する。
【００２４】
着信側である転送先の通信端末１４はこの転送情報の有無によって発信側の通信端末２２からの呼接続時に転送が行われたか否かを識別することができる。そして通信端末２４では転送情報を受け、予め設定されている鳴動パターンを参照し、着信転送有の場合は新規鳴り分けとして着信音の鳴り分けを行い、着信転送無の場合と異なる着信音を鳴動させる。
【００２５】
また、破線の矢印（直接呼出しルート）で示されるように呼制御サーバ２１を介して発信側の通信端末２２から通信端末２４に対して直接電話を掛けるときには、呼接続要求時に着信転送の有無を通知するための転送情報を含めずに呼接続要求情報を送信し、通信端末２４の呼び出しを行う。そして通信端末２４では予め設定されている鳴動パターンを参照し、着信転送無の場合は既存鳴り分けとして着信音の鳴り分けを行い、従来通りの着信音を鳴動させる。
【００２６】
図１で示される応答遅延転送サービスの場合も図２で示される不在転送、話中転送及び圏外時自動転送サービスの場合も、着信側の通信端末１４及び２４のそれぞれの鳴動パターンは、ＩＲとＳＩＲ、ＴＩＲ、その他の鳴動パターン（着信転送時の鳴動パターン）があり、周波数や信号創出間隔を区別することで着信音の鳴り分けを行うことを可能にする。尚、ＩＲ、ＳＩＲ、ＴＩＲの呼出信号の電気的条件は、事業用電気通信設備に規定の通りである。
【００２７】
鳴り分け可能な着信側の通信端末１４及び２４とは、呼制御サーバ１１及び２１の配下にあるＩＰ電話機、デジタル多機能電話、アナログインタフェースをもつＶｏＩＰゲートウェイ、ワイヤレス（無線）ＩＰ電話機などの通信端末である。
【００２８】
図３は着信転送時の鳴り分け通知メッセージを示す図である。呼接続要求時に着信転送の場合には、後述する図６のF11 INVITEリクエスト及び図７のF13 INVITEリクエストのメッセージ記述部に新たに転送情報「X-Transfer」を付加し、着信側の通信端末に着信転送の有無を通知している。着信転送でない場合には、転送情報「X-Transfer」を付加せずに呼接続要求を行う。
【００２９】
図４は転送情報による鳴動パターンの種別を示す図である。転送情報が有る場合、転送用鳴動パターンで着信音を鳴らし、転送情報がない場合は従来の発信側の通信端末の呼種別等による着信音の鳴り分けを行う。
【００３０】
図５は呼制御サーバ及び着信側の通信端末の構成を示す図である。図５では、呼制御サーバから着信側の通信端末へ転送情報を通知し、着信側の通信端末が着信音を鳴動するまでに関連する機能構成を示す。ＶｏＩＰ網５００を介して呼制御サーバ５１０と着信側の通信端末５２０が接続されている。
【００３１】
呼制御サーバ５１０は、ＩＰ通信制御部５１１、ＳＩＰ制御部５１２、呼制御部５１３、データ管理部５１４から構成される。データ管理部５１４は通信端末管理データベース（ＤＢ）５１５を備える。
【００３２】
ＩＰ通信制御部５１１は、ＶｏＩＰ網５００を介して送受信するＩＰパケットの制御を行う。ＳＩＰ制御部５１２は、ＳＩＰ対応の通信端末との制御とＳＩＰメッセージの解析及び編集を行う。呼制御部５１３は、それぞれの通信端末の呼状態の管理や電話番号翻訳などを行う。データ管理部５１４は、ＶｏＩＰ網５００に接続されている各通信端末の電話番号情報やＩＰアドレスと電話番号の対応や通信端末・呼種別、各通信端末が空き状態（通信可能状態）または圏外や通話中などであることを示す通信端末状態情報、発呼要求を他の通信端末に対して転送するか否かの発信転送フラグ、転送を行う場合の転送先の通信端末の電話番号や転送情報の通知を行うか否か等の転送先情報などが格納される通信端末管理ＤＢ５１５を管理している。
【００３３】
着信側の通信端末５２０は、ＩＰ通信制御部５２１、ＳＩＰ制御部５２２、呼制御部５２３、データ管理部５２４、データ管理部５２４が備える鳴動パターンデータベース（ＤＢ）５２５、ハード制御部５２６から構成される。
【００３４】
ＩＰ通信制御部５２１は、ＶｏＩＰ網５００を介して送受信するＩＰパケットの制御を行う。ＳＩＰ制御部５２２は、ＳＩＰ対応の通信端末の制御とＳＩＰメッセージの解析及び編集を行う。呼制御部５２３それぞれの通信端末の呼状態の管理や電話番号翻訳などを行う。データ管理部５２４は、転送情報から電話端末機５３０への周波数、信号送出間隔の鳴動パターンなどの鳴動パターンＤＢ５２５を管理している。通信端末５２０がＶｏＩＰゲートウェイ等であった場合、ハード制御部５２６は、該通信端末５２０に接続される電話端末機の着信音出力部５３０とのインタフェースの制御、鳴動パターンＤＢ５２５で管理している鳴動パターンから着信音の鳴り分け指示を行う。また通信端末５２０が電話端末機等であった場合、着信音出力部５３０は通信端末５２０の内部に設けられており、ハード制御部５２６は、着信音出力部５３０とのインタフェースの制御、鳴動パターンＤＢ５２５で管理している鳴動パターンから着信音の鳴り分け指示を行う。
【００３５】
以下に図６及び図７を用いて、各種着信転送時の着信音鳴り分け動作を通信プロトコルにＳＩＰを用いた場合の動作が説明される。ＳＩＰの動作に関する規定はＩＥＴＦ（Internet Engineering Task Force）のＲＦＣ３２６１に記載されている通りである。図６は応答遅延転送時の着信鳴り分け通知を示す動作シーケンス図である。
【００３６】
まず、発信側の通信端末１２は転送元の通信端末１３に電話を掛けるため、呼制御サーバ１１に対し発呼要求（F1 INVITE）を送信し、これを受けた呼制御サーバ１１は転送元の通信端末１３への呼接続要求（F2 INVITE）と発信側の通信端末１２へのレスポンス（F3 100 Trying）を送出する。
転送元の通信端末１３は呼制御サーバ１１からの呼接続要求（F2 INVITE）に対しレスポンス（F4 100 Trying）を送出後、呼出指示により着信音を鳴らし、呼制御サーバ１１に呼び出し中であることを伝える（F5 180 Ringing）。
【００３７】
呼制御サーバ１１は発信側の通信端末１２に転送元の通信端末１３が呼び出し中であることを伝えて（F6 180 Ringing）、リングバックトーン（ＲＢＴ）を鳴動させると共に、転送元の通信端末１３からの応答を一定時間待つ。ここで、呼制御サーバ１１は転送元の通信端末１３からの応答が返らないため、タイムアウトによって応答遅延転送サービスを起動し、転送元の通信端末１３に対して呼接続要求のキャンセル（F7 CANCEL）を通知し、転送元の通信端末１３からのキャンセル（F7 CANCEL）メッセージに対するレスポンス（F8 200 OK）及び呼接続要求（F2 INVITE）に対するレスポンス（F9 487）を受け取り、呼接続要求に対するレスポンス（F9 487）への受信確認（F10 ACK）を通知することにより、転送元の通信端末１３への発呼を中止する。
【００３８】
そして、着信側である転送先の通信端末１４に対して新たにセッション確立要求（F11 INVITE）を送信し直す。このときのセッション確立要求（F11 INVITE）メッセージに、転送情報を“Ｘ”パラメータによる非標準のデータフィールドで付加し、着信側の通信端末１４への転送の有無を通知する。ＳＩＰでは、テキストベースの“Ｘ”で始まる拡張パラメータを使用することで非標準であるデータフィールドを付与することができ、これを用いて転送情報を通知することが可能である。
着信側の通信端末１４は呼制御サーバ１１に対しセッション確立要求（F11 INVITE）へのレスポンス（F12 100 Trying）及び呼び出し中であることを伝える（F13 180 Ringing）。
着信側の通信端末１４はセッション確立要求（F11 INVITE）の非標準データフィールドにある転送情報から転送の有無を識別することで、呼出指示により着信音の鳴り分けを実現できる。
【００３９】
図７は不在、話中及び圏外時自動転送時の着信鳴り分け通知を示す動作シーケンス図である。
【００４０】
まず、発信側の通信端末２２は転送元の通信端末２３に電話を掛けるため、呼制御サーバ２１に対し発呼要求（F11 INVITE）を送信し、これを受けた呼制御サーバ２１は発信側の通信端末２２へのレスポンス（F14 100 Trying）を送出する。このとき、呼制御サーバ２１は事前に転送元の通信端末２３が不在転送登録中、又は既に他の通信端末と通話中、転送元の通信端末２３が通信圏外等の理由により発信側の通信端末２２とのセッションの確立ができない状態であることを認識しており、不在転送又は話中転送、圏外時自動転送サービスを起動する。ただし、圏外自動転送サービスの場合のみ、呼制御サーバ２１で事前に転送元の通信端末２３が圏外であることを認識できない場合があり、この時のみＲＦＣ３２６１に規定の通り、呼接続要求（F12 INVITE）を数回送出し、レスポンスタイムアウトにより圏外自動転送サービスを起動する。
【００４１】
そして、着信側である転送先の通信端末２４に対してセッション確立要求（F13 INVITE）を送信する。このセッション確立要求（F13 INVITE）メッセージに、転送情報を“Ｘ”パラメータによる非標準のデータフィールドで付加し、着信側の通信端末２４へ転送の有無を通知する。
着信側の通信端末２４は呼制御サーバ２１に対しセッション確立要求（F13 INVITE）へのレスポンス（F15 100 Trying）及び呼び出し中であることを伝え（F16 180 Ringing）、呼制御サーバ２１は、発信側の通信端末２２に呼び出し中であることを伝える（F17 180 Ringing）。発信側の通信端末２２は、ＲＢＴを鳴動させる。
着信側の通信端末２４は、セッション確立要求（F13 INVITE）の非標準データフィールドにある転送情報から転送の有無を識別することで、呼出指示により着信音の鳴り分けを実現できる。
【００４２】
本実施例では通信プロトコルとしてＳＩＰに適用した例を示したが、ＶｏＩＰ呼制御プロトコルのＨ．３２３においても適用可能である。呼制御サーバと通信端末間でＨ．３２３の非標準メッセージであるNonStandardDataを利用することで、転送情報を通知することが可能である。
Ｈ．３２３プロトコルにある、ＳＩＰにおける接続要求（INVITE）に相当するSETUPメッセージに非標準データ（NonStandardData）を用いて、転送情報を付与することで、発信側の通信端末から着信側の通信端末に対して、転送の有無を通知することを実現できる。
【００４３】
さらに、ＶｏＩＰ呼制御プロトコルのＭＧＣＰ（Media Gateway Control Protocol）においても適用可能である。呼制御サーバとＭＧＣＰ対応の通信端末間で、ＭＧＣＰメッセージの拡張パラメータである“Ｘ”パラメータを利用することで、転送情報を通知することが可能である。
【図面の簡単な説明】
【００４４】
【図１】本発明による応答遅延転送サービスを示す概略図
【図２】本発明による不在転送、話中転送及び圏外時自動転送サービスを示す概略図
【図３】着信転送時の鳴り分け通知メッセージを示す図
【図４】転送情報による鳴動パターンの種別を示す図
【図５】呼制御サーバ及び着信側の通信端末の構成を示す図
【図６】応答遅延転送時の着信鳴り分け通知を示す動作シーケンス図
【図７】不在、話中及び圏外時自動転送時の着信鳴り分け通知を示す動作シーケンス図
【図８】従来の通信システムにおける着信音の鳴り分け方法を示す概略図
【図９】従来の通信システムにおける着信転送サービスが起動された場合の着信音の鳴り分け方法を示す概略図
【図１０】従来の応答遅延転送サービスを示す概略図
【図１１】従来の不在転送、話中転送及び圏外時自動転送サービスを示す概略図
【符号の説明】
【００４５】
１１、２１、５１０…呼制御サーバ、１２、１３、１４、２２、２３、２４、５２０…通信端末、５００…ＶｏＩＰ網、５１１、５２１…ＩＰ通信制御部、５１２、５２２…ＳＩＰ制御部、５１３、５２３…呼制御部、５１４、５２４…データ管理部、５１５…通信端末管理ＤＢ、５２５…鳴動パターンＤＢ、５２６…ハード制御部、５３０…着信音出力部
【図１】
2008236214.tif 000003
【図２】
2008236214.tif 000004
【図３】
2008236214.tif 000005
【図４】
2008236214.tif 000006
【図５】
2008236214.tif 000007
【図６】
2008236214.tif 000008
【図７】
2008236214.tif 000009
【図８】
2008236214.tif 000010
【図９】
2008236214.tif 000011
【図１０】
2008236214.tif 000012
【図１１】
2008236214.tif 000013